(57)【要約】【課題】携帯電話機から出力された映像信号を表示装置に表示することにより、利用者が携帯電話機の表示画面に表示される映像に加えて、表示装置に表示される映像を見ながら通話、データ通信等を行うことができる表示システム、表示装置、映像信号切替装置、及びハンズフリー電話システムを提供する。【解決手段】表示装置１０は、携帯電話接続端子２３に入力される映像信号を第２フォーマット変換部５３によって、又はアナログビデオ端子２６から入力される映像信号をＡ／Ｄ変換部５１及び第１フォーマット変換部５２によって、表示部１５に表示できる別形式の映像信号に変換するとともに、映像信号切替部５４によって映像信号を選択して表示部１５へ出力し、選択した映像信号に基づいた映像を表示する。【選択図】        図２
2004282380.tif 000002
【特許請求の範囲】
【請求項１】
車両に搭載され、入力された映像信号に基づいて映像を表示する車載用の表示装置を備える表示システムにおいて、
映像信号を出力する映像信号出力部を有する携帯通信機器を備え、
前記表示装置は、前記映像信号出力部から出力された映像信号を入力する映像信号入力部と、
該映像信号入力部に入力された映像信号を別形式の映像信号に変換する映像形式変換部とを備えることを特徴とする表示システム。
【請求項２】
車両に搭載され、入力された映像信号に基づいた映像を表示する車載用の表示装置において、
携帯通信機器から出力された映像信号の入力用の映像信号入力部と、
該映像信号入力部に入力された映像信号を別形式の映像信号に変換する映像形式変換部とを備えることを特徴とする車載用の表示装置。
【請求項３】
前記映像信号入力部に入力された映像信号とは異なる映像信号の入力用の信号入力部と、
前記信号入力部に入力された映像信号を前記別形式の映像信号に変換する形式変換部と、
前記映像形式変換部により変換された映像信号又は前記形式変換部により変換された映像信号のいずれかの映像信号を選択する映像信号切替部とを備えることを特徴とする請求項２に記載の車載用の表示装置。
【請求項４】
前記映像信号入力部に映像信号が入力されているか否かを判定する判定部を更に備え、
該判定部が前記映像信号入力部に映像信号が入力されていると判定した場合に、前記映像信号切替部は前記映像形式変換部により変換された映像信号を選択するようにしてあることを特徴とする請求項３に記載の車載用の表示装置。
【請求項５】
携帯通信機器の載置用のクレードルを更に備え、
前記映像信号入力部は前記クレードルに設けられていることを特徴とする請求項２乃至請求項４のいずれかに記載の車載用の表示装置。
【請求項６】
複数の映像信号を入力し、入力された複数の映像信号から一の映像信号を選択して外部へ出力する映像信号切替装置において、
携帯通信機器から出力された映像信号の入力用の映像信号入力部と、
前記映像信号とは異なる映像信号の入力用の信号入力部と、
前記映像信号入力部に入力された映像信号を別形式の映像信号に変換する映像形式変換部と、
前記信号入力部に入力された映像信号を前記別形式の映像信号に変換する形式変換部と、
前記映像形式変換部により変換された映像信号又は前記形式変換部により変換された映像信号のいずれかの映像信号を選択する映像信号切替部とを備えることを特徴とする映像信号切替装置。
【請求項７】
車両に搭載され、携帯通信機器から出力された受話信号に基づいて音声を出力する音声出力装置と、入力された音声に基づいて送話信号を出力し、出力した送話信号を携帯通信機器へ出力する音声入力装置とを備え、手で携帯通信機器を持つことなく通話できるハンズフリー電話システムにおいて、
入力された映像信号に基づいて映像を表示する車載用の表示装置と、
携帯通信機器から出力された映像信号の入力用の映像信号入力部とを備え、
前記表示装置は、前記映像信号入力部と接続されており、入力された映像信号に基づいて映像を表示することを特徴とするハンズフリー電話システム。
【発明の詳細な説明】
【０００１】
【発明の属する技術分野】
本発明は表示システム、表示装置、映像信号切替装置、及びハンズフリー電話システムに関し、より具体的には携帯電話機等の携帯通信機器が出力する映像信号に基づいて映像を表示することができる表示装置、表示システム、及び映像信号切替装置、並びに、携帯通信機器が出力する映像信号に基づいて映像を表示するとともに、手で携帯通信機器を持つことなく通話することができるハンズフリー電話システムに関する。
【０００２】
【従来の技術】
近年、ビデオ装置、ナビゲーション装置、撮像装置等の情報機器、及び液晶ディスプレイ、ＣＲＴディスプレイ等の表示装置を自動車等の車両に搭載し、それら情報機器が生成した映像信号に基づいて表示装置に映像を表示する構成としたシステムが普及している（例えば、特許文献１参照）。
【０００３】
また、携帯電話機への送話信号を入力するマイクロフォン等の音声入力装置と、携帯電話機からの受話信号を出力するスピーカ等の音声出力装置とを車両に搭載し、携帯電話機を手に持たずに通話することができるハンズフリー電話システムも実用化されている。
【０００４】
【特許文献１】
特開２００１−２１９７８３号公報
【０００５】
【発明が解決しようとする課題】
しかしながら、第３世代の携帯電話機では動画通信（映像）を利用した通話が可能であり、また表示装置が車両に搭載されているにも関わらず、携帯電話機が出力する映像を表示装置へ出力する手段が存在しないため、利用者は依然として携帯電話機の表示画面に表示される小さな映像を見ながら通話、データ通信等を行っているのが実情である。一般的に携帯電話機の表示画面は画面サイズが小さいため、詳細な情報を得ることは困難であり、また多人数で見るような用途には適していないという問題があった。
【０００６】
本発明は斯かる事情に鑑みてなされたものであり、携帯電話機等の携帯通信機器から出力された映像信号を入力し、入力された映像信号を別の映像形式の信号に変換することにより、携帯通信機器から出力された映像信号に基づいた映像を表示し、利用者が映像を見ながら通話、データ通信等を行うことができる表示システム、表示装置、及び映像信号切替装置の提供を目的とする。
【０００７】
また本発明は、加えて、携帯電話機等の携帯通信機器からの受話信号を音声出力装置へ出力して音声を出力し、音声入力装置に入力した音声を送話信号に変換して携帯通信機器へ出力することにより、利用者が表示装置に表示される映像を見ながら、携帯通信機器を手に持たずに音声入力装置及び音声出力装置を介して通話を行うことができるハンズフリー電話システムの提供を目的とする。
【０００８】
【課題を解決するための手段】
第１発明に係る表示システムは、車両に搭載され、入力された映像信号に基づいて映像を表示する車載用の表示装置を備える表示システムにおいて、映像信号を出力する映像信号出力部を有する携帯通信機器を備え、前記表示装置は、前記映像信号出力部から出力された映像信号を入力する映像信号入力部と、該映像信号入力部に入力された映像信号を別形式の映像信号に変換する映像形式変換部とを備えることを特徴とする。
【０００９】
第２発明に係る表示装置は、車両に搭載され、入力された映像信号に基づいた映像を表示する車載用の表示装置において、携帯通信機器から出力された映像信号の入力用の映像信号入力部と、該映像信号入力部に入力された映像信号を別形式の映像信号に変換する映像形式変換部とを備えることを特徴とする。
【００１０】
第３発明に係る表示装置は、第２発明に係る表示装置において、前記映像信号入力部に入力された映像信号とは異なる映像信号の入力用の信号入力部と、前記信号入力部に入力された映像信号を前記別形式の映像信号に変換する形式変換部と、前記映像形式変換部により変換された映像信号又は前記形式変換部により変換された映像信号のいずれかの映像信号を選択する映像信号切替部とを備えることを特徴とする。
【００１１】
第４発明に係る表示装置は、第３発明に係る表示装置において、前記映像信号入力部に映像信号が入力されているか否かを判定する判定部を更に備え、該判定部が前記映像信号入力部に映像信号が入力されていると判定した場合に、前記映像信号切替部は前記映像形式変換部により変換された映像信号を選択するようにしてあることを特徴とする。
【００１２】
第５発明に係る表示装置は、第２発明乃至第４発明のいずれかに係る表示装置において、携帯通信機器の載置用のクレードルを更に備え、前記映像信号入力部は前記クレードルに設けられていることを特徴とする。
【００１３】
第６発明に係る映像信号切替装置は、複数の映像信号を入力し、入力された複数の映像信号から一の映像信号を選択して外部へ出力する映像信号切替装置において、携帯通信機器から出力された映像信号の入力用の映像信号入力部と、前記映像信号とは異なる映像信号の入力用の信号入力部と、前記映像信号入力部に入力された映像信号を別形式の映像信号に変換する映像形式変換部と、前記信号入力部に入力された映像信号を前記別形式の映像信号に変換する形式変換部と、前記映像形式変換部により変換された映像信号又は前記形式変換部により変換された映像信号のいずれかの映像信号を選択する映像信号切替部とを備えることを特徴とする。
【００１４】
第７発明に係るハンズフリー電話システムは、車両に搭載され、携帯通信機器から出力された受話信号に基づいて音声を出力する音声出力装置と、入力された音声に基づいて送話信号を出力し、出力した送話信号を携帯通信機器へ出力する音声入力装置とを備え、手で携帯通信機器を持つことなく通話できるハンズフリー電話システムにおいて、入力された映像信号に基づいて映像を表示する車載用の表示装置と、携帯通信機器から出力された映像信号の入力用の映像信号入力部とを備え、前記表示装置は、前記映像信号入力部と接続されており、入力された映像信号に基づいて映像を表示することを特徴とする。
【００１５】
第１発明に係る表示システム及び第２発明に係る表示装置にあっては、携帯通信機器は映像信号出力部から映像信号を出力し、表示装置は携帯通信機器から出力された映像信号を映像信号入力部に入力し、入力された映像信号を別形式の映像信号に変換して映像を表示する。これにより、利用者は携帯電話機の表示画面に表示される映像に加えて、表示装置に表示される映像を見ながら通話、データ通信等を行うことができる。また、例えば、携帯電話機の映像を携帯電話機の画面サイズより大きな表示装置に表示することにより、より詳細な情報を得ることができるとともに、多人数で同じ映像を共有することができる。
【００１６】
第３発明に係る表示装置及び第６発明に係る映像信号切替装置にあっては、携帯通信機器から出力された映像信号を映像信号入力部に入力し、前記映像信号とは異なるビデオ装置、ナビゲーション装置、撮像装置等の情報機器等が出力する映像信号を信号入力部に入力し、入力されたそれぞれの映像信号を別形式の映像信号に変換するとともに、変換したいずれか一方の映像信号を選択して映像を表示する。これにより、入力された複数の映像信号から所望の映像信号を選択して映像を表示することができる。
【００１７】
第４発明に係る表示装置にあっては、映像信号入力部に映像信号が入力されているか否かを判定し、映像信号入力部に映像信号が入力されていると判定した場合に、映像形式変換部により変換された映像信号を選択して映像を表示する。これにより、利用者は映像信号を選択することなく、映像信号入力部に映像信号が入力されている場合に自動的に映像信号を選択して映像を表示することができる。
【００１８】
第５発明に係る表示装置にあっては、携帯通信機器の載置用のクレードルに、携帯通信機器から出力された映像信号を入力する映像信号入力部を設ける。これにより、携帯通信機器をクレードルにセットすることで、携帯通信機器を固定できるとともに、携帯通信機器と表示装置との接続が完了するため、利用者は、携帯通信機器の固定と表示装置への接続とを別々に行う必要がなくなる。
【００１９】
第７発明に係るハンズフリー電話システムにあっては、携帯通信機器から出力された映像信号を映像信号入力部に入力し、表示装置は入力された映像信号に基づいて映像を表示する。また、携帯通信機器から出力された受話信号を受話信号入力部に入力し、音声出力装置は入力された受話信号に基づいて音声に変換して出力する。更に、音声入力装置は入力された音声を送話信号に変換し、変換した送話信号をクレードルの送話信号出力部へ出力し、クレードルは入力された送話信号を携帯通信機器へ出力する。これにより、利用者は携帯通信機器の表示画面に表示される映像に加えて、表示装置に表示される映像を見ながら、携帯通信機器とは別体の音声入力装置及び音声出力装置を介して、携帯通信機器を手に持つことなく通話を行うことができる。
【００２０】
【発明の実施の形態】
以下、本発明をその実施の形態を示す図面に基づいて詳述する。
【００２１】
（実施の形態１）
図１は、本発明の実施の形態１に係る表示システムを車両に搭載した模式図である。本実施形態に係る表示システムは、車両のダッシュボード上に設置した液晶ディスプレイ、ＣＲＴディスプレイ等の表示装置１０と、電波を利用して双方向通信を行う携帯通信機器である携帯電話機３０とを備えている。表示装置１０の横側には携帯電話機３０の載置用のクレードル２０を備えており、クレードル２０の上部に設けた映像信号入力部である携帯電話接続端子２３と、携帯電話機３０の下部に設けた映像信号出力部である映像出力端子３２とを同図矢印Ｘで示すように接続することによって、本実施形態における表示システムを構築している。
【００２２】
携帯電話機３０は、アンテナ３５を通じて受信した電子メール、映像付き電子メール、インターネットブラウザ画面、及び、ＣＣＤカメラ３６により撮影した各種の映像信号を映像出力端子３２から出力する。
【００２３】
表示装置１０はその裏側に、ナビゲーション機器、ビデオ機器等の映像出力機器を接続し、該映像出力装置が出力する映像信号の入力用の信号入力部であるアナログビデオ端子２６（図２参照）を備えている。更に、表示装置１０はその表側に、映像を表示する表示部１５と切替スイッチ６０とを備えており、切替スイッチ６０は、例えばボタン式のスイッチであり、表示部１５に表示する映像として、携帯電話接続端子２３に入力された映像信号か、又はアナログビデオ端子２６に入力された映像信号かを切り替えて選択する機能を有する。例えば、利用者が切替スイッチ６０を押込むと、携帯電話接続端子２３に入力された映像信号が表示部１５に表示され、一方、切替スイッチ６０を押込まなければ、アナログビデオ端子２６に入力された映像信号が表示部１５に表示される。
【００２４】
図２は、本発明の実施の形態１に係る表示装置１０の構成例を示すブロック図である。以下、携帯電話機３０から出力される映像信号はデジタル形式であり、ナビゲーション機器、ビデオ機器等の映像出力機器から出力される映像信号はアナログ形式であるとする。
【００２５】
表示装置１０は、携帯電話接続端子２３と、アナログビデオ端子２６と、切替スイッチ６０と、切替スイッチ状態検出部６５と、信号処理部５０と、映像信号切替部５４と、表示部１５とを備えている。ここで、携帯電話接続端子２３は携帯電話機３０が出力する映像信号の入力用の映像信号入力部であり、アナログビデオ端子２６は各種映像出力機器が出力する映像信号の入力用の信号入力部である。
【００２６】
切替スイッチ６０は例えばボタン式のスイッチであり、利用者が切替スイッチ６０を押込む等の行為により切替スイッチ６０が押込まれている場合、切替スイッチ状態検出部６５は、その状態を検出してオン信号を生成する。一方、切替スイッチ６０が押込まれていない場合、切替スイッチ状態検出部６５は、その状態を検出してオフ信号を生成する。そして切替スイッチ状態検出部６５は、生成したオン信号又はオフ信号を映像信号切替部５４へ出力する機能を有する。
【００２７】
信号処理部５０は、Ａ／Ｄ変換部５１、第１フォーマット変換部５２、及び第２フォーマット変換部５３を備えており、携帯電話接続端子２３、アナログビデオ端子２６に入力された映像信号を表示部１５に表示できる別形式の映像信号に変換するとともに、変換した映像信号を後段の映像信号切替部５４へ出力する機能を有する。
【００２８】
Ａ／Ｄ変換部５１は、アナログビデオ端子２６に入力されたアナログ形式の映像信号を所定のサンプリング周波数にて量子化（例えば、８ビット）を行い、デジタル形式の映像信号に変換して第１フォーマット変換部５２へ出力する。ここで、サンプリング周波数はシャノンの定理により、必要とする周波数の２倍以上の周波数で行うことが好ましく、周波数が高い場合には、並列型、又は直並列型のものを用いる。
【００２９】
第１フォーマット変換部５２は、Ａ／Ｄ変換部５１から出力されたデジタル形式の映像信号を表示部１５に表示できるようにフォーマット変換を行う。一方、第２フォーマット変換部５３は、携帯電話接続端子２３に入力されたデジタル形式の映像信号を表示部１５に表示できるようにフォーマット変換を行う。すなわち、Ａ／Ｄ変換部５１と第１フォーマット変換部５２とが連携することにより本発明の映像形式変換部として機能し、第２フォーマット変換部５３が本発明の形式変換部として機能する。なお、これら第１フォーマット変換部５２及び第２フォーマット変換部５３の構成は、それぞれ、入力する映像信号の形式と出力する映像信号の形式とで決定されるものであり、それ自体公知のフォーマット変換器を適宜構成すればよく、第１フォーマット変換部５２及び第２フォーマット変換部５３から出力される映像信号の形式を同一形式の映像信号に変換する。
【００３０】
例えば、携帯電話機３０は、アンテナ３５を通じて映像付き電子メールを受信し、受信した電子メールに基づいて、文字情報及び映像情報から映像信号を生成して映像出力端子３２から出力し、第２フォーマット変換部５３によって、デジタルビデオ形式の信号（例えば、ＩＴＵ−Ｒ．ＲＥＣ６５６）に変換される。また、各種映像出力機器から出力されるアナログ形式の映像信号は、Ａ／Ｄ変換部５１及び第１フォーマット変換部５２によって、同一のデジタルビデオ形式の信号に変換される。もちろん、入力された映像信号の映像サイズを拡大又は縮小するようなスケーリング処理を付加的に実行させるようにしてもよい。
【００３１】
映像信号切替部５４は、例えばリレースイッチで構成されており、切替スイッチ状態検出部６５が生成したオン信号又はオフ信号に基づいて、すなわち、切替スイッチ６０の状態に基づいて、第１フォーマット変換部５２から出力される映像信号、又は第２フォーマット変換部５３から出力される映像信号のいずれか一方を選択して表示部１５へ出力する機能を有する。例えば、映像信号切替部５４は切替スイッチ６０が押込まれている場合、第１フォーマット変換部５２から出力された映像信号が出力される。一方、映像信号切替部５４は切替スイッチ６０が押込まれていない場合、第２フォーマット変換部５３から出力された映像信号が出力される。
【００３２】
表示部１５は、映像信号切替部５４から出力された映像信号を入力し、図示しない各種ドライバＩＣに制御され、入力された映像信号に対応した映像を表示する。例えば、表示部１５が液晶ディスプレイの場合、ゲートドライバ及びソースドライバに制御され、ゲートドライバから入力された走査信号によって各画素のオン／オフを制御し、オン期間にソースドライバから入力された映像信号に応じたデータ電圧を画素に印加することによって、液晶の電気光学特性によって決定される光透過率を制御して映像を表示する。
【００３３】
本実施の形態では、このように、携帯電話機３０の映像を表示部１５に表示することができるため、利用者は表示部１５の映像を見ながら通話、データ通信等を行うことができる。また、切替スイッチ６０を操作することにより、携帯電話機３０の映像と、ナビゲーション機器、ビデオ機器等の映像出力機器の映像とを選択して表示部１５に表示することができる。
【００３４】
（実施の形態２）
実施の形態１では、携帯電話接続端子２３、アナログビデオ端子２６、切替スイッチ６０、切替スイッチ状態検出部６５、信号処理部５０、及び映像信号切替部５４が表示装置１０に内蔵された形態について説明したが、これらを表示装置とは別体の映像信号切替装置に設けてもよく、このようにしたものが実施の形態２である。
【００３５】
図３は、本発明の実施の形態２に係る表示システムの全体構成を示す模式図である。本実施形態に係る表示システムは、映像信号切替装置４０と、液晶ディスプレイ、ＣＲＴディスプレイ等の表示装置１１と、電波を利用して双方向通信を行う携帯通信機器である携帯電話機３０と、携帯電話機３０の載置用のクレードル２１とを備えており、クレードル２１の上部に設けた携帯電話接続端子２３と、携帯電話機３０の下部に設けた映像出力端子３２とを同図矢印Ｙで示すように接続することによって、本実施形態における表示システムを構築している。
【００３６】
映像信号切替装置４０は第１信号入力部２５と第２信号入力部２７とを備えており、第１信号入力部２５は、携帯電話接続端子２３を設けたクレードル２１と信号線９１で接続されており、第２信号入力部２７は、ナビゲーション機器、ビデオ機器等の映像出力機器８５と信号線９２で接続されている。また、映像信号切替装置４０は信号出力部２８を備えており、信号出力部２８は表示装置１１と信号線９３で接続されている。更に映像信号切替装置４０は切替スイッチ６１を備えており、切替スイッチ６１は、例えばボタン式のスイッチであり、信号出力部２８から出力する映像信号として、信号線９１を通じて第１信号入力部２５に入力された映像信号か、又は信号線９２を通じて第２信号入力部２７に入力された映像信号かを切り替えて選択する機能を有する。
【００３７】
図４は、本発明の実施の形態２に係る映像信号切替装置４０の構成例を示すブロック図である。映像信号切替装置４０は、信号線９１を通じて第１信号入力部２５に入力された映像信号、及び信号線９２を通じて第２信号入力部２７に入力された映像信号を別形式に変換して信号出力部２８から出力する。そして、信号出力部２８から出力された映像信号は、信号線９３を通じて表示装置１１へ出力されて映像を表示する。その他の構成は図２と同様であるので、対応する部分には同一の符号を付してその詳細な説明を省略する。
【００３８】
本実施の形態では、このように、映像信号切替装置４０が、携帯電話機３０から出力された映像信号を表示装置１１に対応した映像信号に変換するため、既存の表示装置１１に映像信号切替装置４０を接続すれば、表示装置を新規に購入することなく、携帯電話機３０から出力された映像信号に基づいて映像を表示装置１１に表示することができる。
【００３９】
（実施の形態３）
図５は、本発明の実施の形態３に係るハンズフリー電話システムの全体構成を示す模式図である。本実施形態に係るハンズフリー電話システムは、映像信号切替装置４０と、液晶ディスプレイ、ＣＲＴディスプレイ等の表示装置１１と、電波を利用して双方向通信を行う携帯通信機器である携帯電話機３１と、携帯電話機３１の載置用のクレードル２２と、携帯電話機３１からの受話信号を出力するスピーカ等の音声出力装置８０と、携帯電話機３１への送話信号を入力するマイクロフォン等の音声入力装置８１とを備えている。そして、クレードル２２の上部に設けた携帯電話接続端子２４と、携帯電話機３１の下部に設けた映像音声入出力端子３３とを同図矢印Ｚで示すように接続することによって、本実施形態におけるハンズフリー電話システムを構築している。
【００４０】
映像音声入出力端子３３は、映像出力端子３３ａ、受話信号出力端子３３ｂ、及び送話信号入力端子３３ｃから構成されており、携帯電話機３１は、アンテナ３５を通じて基地局と回線を確立した相手方の電話機からの映像信号を映像出力端子３３ａから出力し、受話信号を受話信号出力端子３３ｂから出力し、相手方の電話機への送話信号を送話信号入力端子３３ｃから入力する。
【００４１】
携帯電話接続端子２４は、映像音声入出力端子３３のそれぞれの端子３３ａ，３３ｂ，３３ｃの対向する位置に、携帯電話機３１が出力する映像信号を入力する映像信号入力端子２４ａと、携帯電話機３１が出力する受話信号を入力する受話信号入力端子２４ｂと、携帯電話機３１へ送話信号を出力する送話信号出力端子２４ｃとを有する。そして、映像信号入力端子２４ａは信号線９４を介して映像信号切替装置４０の第１信号入力部２５と接続され、受話信号入力端子２４ｂは信号線９５を介して音声出力装置８０と接続され、送話信号出力端子２４ｃは信号線９６を介して音声入力装置８１と接続されている。その他の構成は図３と同様であるので、対応する部分には同一の符号を付してその詳細な説明を省略する。
【００４２】
図６は、本発明の実施の形態３に係るハンズフリー電話システムの構成例を示すブロック図である。クレードル２２は、携帯電話機３１が出力する映像信号を入力する映像信号入力端子２４ａ、携帯電話機３１が出力する受話信号を入力する受話信号入力端子２４ｂ、及び携帯電話機３１へ送話信号を出力する送話信号出力端子２４ｃからなる携帯電話接続端子２４を備えている。
【００４３】
受話信号入力端子２４ｂは信号線９５を通じてスピーカ等の音声出力装置８０と接続されており、受話信号入力端子２４ａに入力された受話信号を音声出力装置８０にて音声に変換して出力する。一方、送話信号出力端子２４ｃはマイクロフォン等の音声入力装置８１と接続されており、音声入力装置８１にて音声を送話信号に変換し、変換した送話信号を携帯電話機３１へ出力する。映像信号切替装置４０の構成は図４と同様であるので、対応する部分には同一の符号を付してその詳細な説明を省略する。
【００４４】
本実施の形態では、このように、携帯電話機３１を手に持つことなく、携帯電話機３１とは別体の表示装置１１にて映像を見ながら、同様に携帯電話機３１とは別体の音声出力装置８０から相手方の音声を聞き、音声入力装置８１で自らの音声を変換させて相手方の電話機へ伝送することができる。
【００４５】
なお、実施の形態１では切替スイッチ６０の状態に応じて映像信号を選択する形態について説明したが、図７に示すように、表示装置１０は携帯電話接続端子２３に映像信号が入力されているか否かを判定する判定部７０を更に備え、判定部７０が携帯電話接続端子２３に映像信号が入力されていると判定した場合に、映像信号切替部５４は第２フォーマット変換部５３から出力される映像信号を選択するような構成であってもよい。このような構成にすれば、利用者は映像信号を選択することなく、携帯電話接続端子２３に映像信号が入力されている場合に映像信号を選択して表示装置１０の表示部１５に表示することができる。もちろん、実施の形態２及び実施の形態３にて説明した映像信号切替装置４０についても同様である。
【００４６】
また、表示装置１０がナビゲーション機器、ビデオ機器等のアナログ形式の映像信号を出力する映像出力機器を接続する形態について説明したが、ＤＶＤ等のデジタル形式の映像信号を出力する映像出力機器を接続する形態であってもよく、その場合にはＡ／Ｄ変換部５１は不要であることはいうまでもない。
【００４７】
更に、表示部１５がデジタル形式の映像信号を入力する形態について説明したが、アナログ形式の映像信号を入力する形態であってもよく、その場合には第１フォーマット変換部５２及び第２フォーマット変換部５３からはアナログ形式の映像信号が出力されるよう適宜構成すればよい。
【００４８】
更にまた、実施の形態３ではクレードル２２が音声出力装置８０及び音声入力装置８１に直接接続されている形態について説明したが、これに限定されるものではなく、車内に設けたオーディオユニットに接続して、オーディオユニットを経由して音声出力装置及び音声入力装置と接続されているような形態等であってもよい。
【００４９】
【発明の効果】
以上詳述した如く本発明によれば、携帯電話機等の携帯通信機器から出力された映像信号を入力し、入力された映像信号を別形式の映像信号に変換することにより、携帯通信機器から出力された映像信号に基づいた映像を表示し、利用者が携帯通信機器の表示画面に表示される映像に加えて、表示装置に表示される映像を見ながら通話、データ通信等を行うことができる。
【００５０】
また本発明によれば、携帯電話機等の携帯通信機器からの受話信号を音声出力装置へ出力して音声を出力し、音声入力装置に入力した音声を送話信号に変換して携帯通信機器へ出力することにより、利用者が表示装置に表示される映像を見ながら、携帯通信機器を手に持たずに音声入力装置及び音声出力装置を介して通話を行うことができる等、優れた効果を奏する。
【図面の簡単な説明】
【図１】本発明の実施の形態１に係る表示システムを車両に搭載した模式図である。
【図２】本発明の実施の形態１に係る表示装置の構成例を示すブロック図である。
【図３】本発明の実施の形態２に係る表示システムの全体構成を示す模式図である。
【図４】本発明の実施の形態２に係る映像信号切替装置の構成例を示すブロック図である。
【図５】本発明の実施の形態３に係るハンズフリー電話システムの全体構成を示す模式図である。
【図６】本発明の実施の形態３に係るハンズフリー電話システムの構成例を示すブロック図である。
【図７】本発明に係る表示装置の他の構成例を示すブロック図である。
【符号の説明】
１０，１１  表示装置
２０，２１，２２  クレードル
３０，３１  携帯電話機
２３，２４  携帯電話接続端子
２６  アナログビデオ端子
６０，６１  切替スイッチ
３２  映像出力端子
３３  映像音声入出力端子
４０  映像信号切替装置
５０  信号処理部
５１  Ａ／Ｄ変換部
５２  第１フォーマット変換部
５３  第２フォーマット変換部
５４  映像信号切替部
７０  判定部
８０  音声出力装置
８１  音声入力装置
９１，９２，９３，９４，９５，９６  信号線
【図１】
2004282380.tif 000003
【図２】
2004282380.tif 000004
【図３】
2004282380.tif 000005
【図４】
2004282380.tif 000006
【図５】
2004282380.tif 000007
【図６】
2004282380.tif 000008
【図７】
2004282380.tif 000009